(57)【特許請求の範囲】
【請求項１】
複数の足場用ブラケットと、複数の土台部材と、１対の梁部材と、床板とを有し、
各足場用ブラケットは、構造物に沿って取り付けられる足場の床板を支持するための足場用ブラケットであって、固定面を有し、前記構造物の設置部に前記固定面を沿わせて固定するための固定部と、前記固定面に対して垂直方向に伸びて前記床板を支持する支持部とを有し、
前記固定部は、前記固定面に左右方向に伸びた長穴の固定穴を有し、前記固定穴に固定ボルトを挿入して、前記設置部に対し左右方向に調整した位置で前記設置部に固定可能に設けられ、
前記支持部は、上下方向に伸びた長穴の取付穴を有し、前記取付穴に取付ボルトを挿入して、前記床板を上下方向に調整した位置で前記床板を直接または間接的に取付可能に設けられ、
各足場用ブラケットは、前記構造物に沿って所定の間隔をあけて、前記固定ボルトにより前記設置部に固定され、
各土台部材は、前記構造物から垂直に突出する方向に伸び、前記取付ボルトにより各足場用ブラケットの前記支持部に取り付けられ、
各梁部材は、長さ方向に伸びた長穴の接続穴を有し、各土台部材の長さ方向に互いに離れて並行に配置され、前記接続穴に接続ボルトを挿入して各土台部材に取り付けられ、
前記床板は各梁部材に取り付けられていることを、
特徴とする足場構造。
【請求項２】
前記取付穴は前記支持部に対し横方向に並列に複数設けられていることを、特徴とする請求項１記載の足場構造。
【請求項３】
各足場用ブラケット、各土台部材、各梁部材および前記床板は、繊維強化樹脂製であることを特徴とする請求項１または２記載の足場構造。
【発明の詳細な説明】
【技術分野】
【０００１】
本発明は、足場構造に関する。
【背景技術】
【０００２】
従来、建物や橋脚などの構造物に沿って取り付けられる作業用または検査用の足場として、足場用ブラケットを用いて床板を片持ち状に支持するものが多く用いられている（例えば、特許文献１参照）。
【先行技術文献】
【特許文献】
【０００３】
【特許文献１】実開平６−５６３２８号公報
【発明の概要】
【発明が解決しようとする課題】
【０００４】
特許文献１に記載のような従来の足場では、あらかじめ決められた位置から足場用ブラケット等の取付位置がずれた場合、そのままでは足場を取り付けることができない。このため、現場でブラケットや他の部材を加工する必要があり、足場を取り付けるための現場での作業時間が長くなり、作業コストがかさむという課題があった。特に、橋梁検査路では、足場を取り付ける躯体側の施工精度により、不陸が発生し、足場用ブラケット等の取付調整が困難になり、現場での作業時間が長くなることが多い。
【０００５】
本発明は、このような課題に着目してなされたもので、取付位置の調整が容易であり、足場を取り付けるための現場での作業時間を短縮し、作業コストを下げることができる足場構造を提供することを目的とする。
【課題を解決するための手段】
【０００６】
上記目的を達成するために、本発明に係る足場構造は、複数の足場用ブラケットと、複数の土台部材と、１対の梁部材と、床板とを有し、各足場用ブラケットは、構造物に沿って取り付けられる足場の床板を支持するための足場用ブラケットであって、固定面を有し、前記構造物の設置部に前記固定面を沿わせて固定するための固定部と、前記固定面に対して垂直方向に伸びて前記床板を支持する支持部とを有し、前記固定部は、前記固定面に左右方向に伸びた長穴の固定穴を有し、前記固定穴に固定ボルトを挿入して、前記設置部に対し左右方向に調整した位置で前記設置部に固定可能に設けられ、前記支持部は、上下方向に伸びた長穴の取付穴を有し、前記取付穴に取付ボルトを挿入して、前記床板を上下方向に調整した位置で前記床板を直接または間接的に取付可能に設けられ、各足場用ブラケットは、前記構造物に沿って所定の間隔をあけて、前記固定ボルトにより前記設置部に固定され、各土台部材は、前記構造物から垂直に突出する方向に伸び、前記取付ボルトにより各足場用ブラケットの前記支持部に取り付けられ、各梁部材は、長さ方向に伸びた長穴の接続穴を有し、各土台部材の長さ方向に互いに離れて並行に配置され、前記接続穴に接続ボルトを挿入して各土台部材に取り付けられ、前記床板は各梁部材に取り付けられていることを、特徴とする。
【０００７】
本発明に係る足場構造で、足場用ブラケットは、構造物の設置部に対して左右方向に取付位置を容易に調整することができる。また、床板の取り付け高さを容易に調整することができる。このため、構造物が移動したりして、あらかじめ決められた位置から足場用ブラケットの取付位置がずれた場合でも、構造物に対して左右方向および上下方向に位置調整して取り付けることができ、取付位置のずれを容易に解消することができる。これにより、取付位置のずれが発生した場合でも、現場で足場用ブラケットや他の部材を加工することなく足場を取り付けることができ、足場を取り付けるための現場での作業時間を短縮し、作業コストを下げることができる。
【０００９】
本発明に係る足場構造は、足場用ブラケットの固定部の左右方向に伸びた長穴の固定穴により、構造物の設置部に対して左右方向に取付位置を容易に調整することができる。また、足場用ブラケットの支持部の上下方向に伸びた長穴の取付穴により、床板の取り付け高さを容易に調整することができる。
【００１０】
本発明に係る足場構造で、足場用ブラケットは、繊維強化樹脂製であることが好ましい。この場合、高い強度を維持したまま、軽量化を図ることができる。また、腐食にも強く、製造時の固定穴や取付穴の加工が容易である。
【００１１】
本発明に係る足場構造で、足場用ブラケットの支持部の前記取付穴は前記支持部に対し横方向に並列に複数設けられていることが好ましい。この場合、各取付穴で、床板の取り付け高さを調整することにより、支持部の長さ方向に沿った床板の傾斜を調整することができる。また、足場用ブラケットを、構造物に沿って間隔をあけて複数取り付けたとき、それぞれの各取付穴で床板の高さを調整することにより、床板全体の傾斜を調整することができる。このため、床板を水平に取り付けるのも容易である。
【００１３】
本発明に係る足場構造は、建物や橋脚などの構造物に沿って取り付けて使用される。本発明に係る足場構造は、足場用ブラケットの取付位置がずれた場合でも、構造物に対して左右方向および上下方向に位置調整して各足場用ブラケットを取り付けることができ、取付位置のずれを解消することができる。また、各梁部材の接続穴によって、各梁部材の長さ方向、すなわち構造物に対して左右方向に位置調整を行うことができ、より細かい位置調整が可能である。このように、本発明に係る足場構造は、取付位置のずれが発生した場合でも、現場で足場用ブラケットや他の部材を加工することなく取り付けることができ、現場での作業時間を短縮し、作業コストを下げることができる。
【００１４】
本発明に係る足場構造で、各足場用ブラケット、各土台部材、各梁部材および前記床板は、繊維強化樹脂製であることが好ましい。この場合、高い強度を維持したまま、軽量化を図ることができ、運搬が容易である。また、腐食にも強く、製造時の固定穴や取付穴、接続穴の加工が容易である。本発明に係る足場構造は、床板の構造物とは反対側の側縁に沿って取り付けられた、繊維強化樹脂製の手すりや防護柵を有していてもよい。
【００１５】
本発明に係る足場構造は、橋梁検査路から成ることが好ましい。橋梁検査路では、足場を取り付ける躯体側の施工精度により、不陸が発生してしまうことが多いが、本発明に係る足場構造によれば、取付位置を調整して取り付けることができ、現場での作業時間を短縮し、作業コストを下げることができる。
【発明の効果】
【００１６】
本発明によれば、取付位置の調整が容易であり、足場を取り付けるための現場での作業時間を短縮し、作業コストを下げることができる足場構造を提供することができる。
【図面の簡単な説明】
【００１７】
【図１】本発明の実施の形態の足場構造を示す（ａ）平面図、（ｂ）正面図、（ｃ）右側面図である。
【図２】図１に示す足場構造の（ａ）  図１（ａ）のＡ部分の拡大図、（ｂ）  図１（ｂ）のＢ部分の拡大図、（ｃ）  図１（ｃ）のＣ部分の拡大図である。
【図３】図１に示す足場構造の（ａ）右端部の拡大斜視図、（ｂ）中央の足場用ブラケットの取付位置の、下方からの拡大斜視図である。
【図４】図１に示す足場構造の足場用ブラケットの斜視図である。
【図５】図１に示す足場構造の土台部材の斜視図である。
【図６】図１に示す足場構造の梁部材の（ａ）斜視図、（ｂ）端部の拡大斜視図である。
【発明を実施するための形態】
【００１８】
以下、図面に基づき、本発明の実施の形態について説明する。
図１乃至図６は、本発明の実施の形態の足場構造を示している。
図１乃至図３に示すように、本発明の実施の形態の足場構造１０は、構造物１に沿って取り付けられる作業用または検査用の足場構造１０であって、複数の足場用ブラケット１１と、複数の土台部材１２と、１対の梁部材１３と、床板１４と、防護柵１５とを有している。各足場用ブラケット１１、各土台部材１２、各梁部材１３、床板１４および防護柵１５は、繊維強化樹脂製である。
【００１９】
図４に示すように、各足場用ブラケット１１は、矩形板状の固定部２１と、三角板状の支持部２２とを有している。固定部２１は、矩形板の両端部を同じ方向に垂直に折り曲げた形状を成し、その折り曲げ方向とは反対側の面が、構造物１の設置部に沿わせて固定するための固定面２１ａを成している。固定面２１ａは、固定穴２１ｂを有し、設置部に固定するための固定ボルト１６を固定穴２１ｂに挿入して取付可能となっている。固定穴２１ｂは、固定部２１の長さ方向に対して垂直方向に伸びた長穴から成り、固定部２１の両側縁に沿って３つずつ、全部で６つ設けられている。固定穴２１ｂは、固定部２１を縦方向に伸びるよう設置部に固定したとき、左右方向に伸びる。
【００２０】
支持部２２は、直角三角形の板状を成し、固定面２１ａに対して垂直方向に伸びるよう、最も短い側縁を固定部２１の両端の間に挟んだ状態で、固定部２１の中心線に沿って取り付けられている。支持部２２は、最も短い側縁２２ａと垂直を成す、２番目に短い側縁２２ｂの端面が、固定面２１ａと垂直を成している。支持部２２は、側縁２２ｂに沿って取付穴２２ｃを有し、床板１４を間接的に取り付けるための取付ボルト１７を取付穴２２ｃに挿入して床板１４を取付可能となっている。取付穴２２ｃは、側縁２２ａに沿った方向に伸びた長穴から成り、支持部２２の長さ方向に沿って、側縁２２ｂの両端付近に１つずつ、全部で２つ設けられている。取付穴２２ｃは、固定部２１を縦方向に伸びるよう設置部に固定したとき、横方向に並列に設けられ、それぞれ上下方向に伸びる。
【００２１】
図１乃至図３に示すように、各足場用ブラケット１１は、構造物１に沿って所定の間隔をあけて、固定ボルト１６により設置部に固定されている。各足場用ブラケット１１は、支持部２２の側縁２２ｂの端面が上を向き、固定部２１の長さ方向、すなわち支持部２２が鉛直になるよう、設置部に固定されている。これにより、各足場用ブラケット１１は、固定穴２１ｂが左右方向に伸び、取付穴２２ｃが上下方向に伸びた状態で固定されている。なお、図１乃至図３に示す具体的な一例では、足場用ブラケット１１は、３つから成っている。
【００２２】
図５に示すように、各土台部材１２は、断面がＬ型の細長い部材から成り、支持部２２の側縁２２ｂとほぼ同じ長さを有している。各土台部材１２は、一方の面に、支持部２２の取付穴２２ｃと同じ間隔で設けられた２つの支持用穴１２ａを有し、他方の面の両端部にそれぞれ設けられた２つの梁用穴１２ｂとを有している。各梁用穴１２ｂは、土台部材１２の長さ方向に沿って伸びた長穴から成っている。
【００２３】
図１乃至図３に示すように、土台部材１２は、支持部２２の側縁２２ｂに沿って、支持部２２の両面に１つずつ取り付けられている。土台部材１２は、各梁用穴１２ｂを有する面を上にして、各支持用穴１２ａを有する面を支持部２２の表面に接触させて取り付けられている。土台部材１２は、対応する各支持用穴１２ａと支持部２２の取付穴２２ｃとに取付ボルト１７を挿入して取り付けられ、構造物１から垂直に突出する方向に伸びる。なお、図１乃至図３に示す具体的な一例では、土台部材１２は、各足場用ブラケット１１に対して２つずつ、全部で６つから成っている。
【００２４】
図６に示すように、１対の梁部材１３は、細長い部材の両側縁を同じ方向に垂直に折り曲げた、断面がコの字型の細長い部材から成り、両端の足場用ブラケット１１の間隔と同じ長さを有している。各梁部材１３は、一方の側縁に接続穴１３ａを複数有し、各土台部材１２に取り付けるための接続ボルト１８を接続穴１３ａに挿入して取付可能となっている。各接続穴１３ａは、梁部材１３の長さ方向に沿って伸びた長穴から成り、各足場用ブラケット１１に取り付けられた各土台部材１２に架け渡したときに、各土台部材１２の梁用穴１２ｂに対応する位置に設けられている。
【００２５】
図１乃至図３に示すように、各梁部材１３は、構造物１に沿って各土台部材１２の長さ方向に互いに離れて並行に配置され、それぞれ各土台部材１２の一端側および他端側に架け渡して取り付けられている。各梁部材１３は、折り曲げた両側縁が内側になるよう、各接続穴１３ａを有する側縁を下にして、対応する各接続穴１３ａと各土台部材１２の梁用穴１２ｂとに接続ボルト１８を挿入して各土台部材１２に取り付けられている。
【００２６】
図１乃至図３に示すように、床板１４は矩形状を成し、各梁部材１３の上に取り付けられている。床板１４は、両側部がそれぞれ各梁部材１３に複数のボルト１９で取り付けられている。床板１４は、各土台部材１２および各梁部材１３を介して、各足場用ブラケット１１の支持部２２により支持されている。床板１４は、表面に滑り止め用の珪砂が接着されている。防護柵１５は、井桁状を成し、床板１４の構造物１とは反対側の側縁に沿って取り付けられている。
【００２７】
次に、作用について説明する。
足場構造１０は、建物や橋脚などの構造物１に沿って取り付けて使用される。足場構造１０は、足場用ブラケット１１の固定穴２１ｂにより、構造物１の設置部に対して左右方向での取付位置を容易に調整することができるとともに、足場用ブラケット１１の取付穴２２ｃにより、床板１４の取り付け高さを容易に調整することができる。このため、構造物１が移動したりして、あらかじめ決められた位置から足場用ブラケット１１の取付位置がずれた場合でも、構造物１に対して左右方向および上下方向に位置調整して取り付けることができ、取付位置のずれを容易に解消することができる。また、各土台部材１２の各梁用穴１２ｂによって、各土台部材１２の長さ方向、すなわち構造物１から突出する方向に位置調整を行うことができ、さらに、各梁部材１３の接続穴１３ａによっても、各梁部材１３の長さ方向、すなわち構造物１に対して左右方向に位置調整を行うことができ、より細かい位置調整が可能である。このように、足場構造１０は、取付位置のずれが発生した場合でも、現場で足場用ブラケット１１や他の部材を加工することなく取り付けることができ、現場での作業時間を短縮し、作業コストを下げることができる。
【００２８】
また、足場構造１０は、各足場用ブラケット１１の各取付穴２２ｃで、床板１４の取り付け高さを調整することにより、床板１４全体の傾斜を調整することができる。このため、床板１４を水平に取り付けるのも容易である。足場構造１０は、各部材が繊維強化樹脂製であるため、高い強度を維持したまま、軽量化を図ることができ、運搬が容易である。また、腐食にも強く、製造時の固定穴２１ｂや取付穴２２ｃ、接続穴１３ａの加工が容易である。
【００２９】
足場構造１０は、橋梁検査路として好適に使用することができる。橋梁検査路では、足場を取り付ける躯体側の施工精度により、不陸が発生してしまうことが多いが、足場構造１０によれば、取付位置を調整して取り付けることができ、現場での作業時間を短縮し、作業コストを下げることができる。
【符号の説明】
【００３０】
１  構造物
１０  足場構造
１１  足場用ブラケット
２１  固定部
２１ａ  固定面
２１ｂ  固定穴
２２  支持部
２２ｃ  取付穴
１２  土台部材
１２ａ  支持用穴
１２ｂ  梁用穴
１３  梁部材
１３ａ  接続穴
１４  床板
１５  防護柵
１６  固定ボルト
１７  取付ボルト
１８  接続ボルト
１９  ボルト
【図１】
0006393143.tif 000002
【図２】
0006393143.tif 000003
【図３】
0006393143.tif 000004
【図４】
0006393143.tif 000005
【図５】
0006393143.tif 000006
【図６】
0006393143.tif 000007